(57)【特許請求の範囲】
【請求項１】
洗浄水により洗浄される洋風便器本体と、該洋風便器本体の背後に設けられるベースプレートと、該ベースプレート上に設けられ、該洋風便器本体を該洗浄水により洗浄する等、該洋風便器本体に種々の機能を付与可能な機能装置と、該機能装置を収納するカバーとを備え、該ベースプレートは、該洋風便器本体に固定された後部ベースプレートと、該カバーが固定され、該後部ベースプレートに対して昇降装置により昇降可能に設けられ、かつ上昇により該洋風便器本体の鉢面後方を露出可能な前部ベースプレートとからなり、該後部ベースプレートと該前部ベースプレートとがロック機構により固定及び離反可能な洋風水洗式便器において、
前記カバーは、前記前部ベースプレートに固定された前部カバーと、該前部カバーに固定されて該前部カバーとともに昇降する後部カバーとからなり、
前記ロック機構は、前記後部ベースプレートと前記前部ベースプレートとが固定される方向に付勢力をもつ付勢手段を有することを特徴とする洋風水洗式便器。
【請求項２】
ロック機構は、前部ベースプレート上を摺動可能に設けられ、付勢手段の付勢力に屈して突出可能な係合凸部を有するスライダと、後部ベースプレートに凹設され、該係合凸部と係合可能な係合凹部とを有することを特徴とする請求項１記載の洋風水洗式便器。
【請求項３】
後部ベースプレートは、係合凹部に連続して上方に延在し、付勢手段の付勢力に抗して係合凸部を引っ込めたままにする案内面を有することを特徴とする請求項２記載の洋風水洗式便器。
【請求項４】
スライダは、付勢手段の付勢力に抗して手で引っ張ることを容易にする引掛部を有することを特徴とする請求項２又は３記載の洋風水洗式便器。
【請求項５】
ロック機構は、前部ベースプレートに形成され、後部ベースプレート上に重なる重なり部と、該重なり部に水平な軸心回りに揺動可能に設けられ、下端に付勢手段の付勢力に屈して該後部ベースプレートと係合する係合凸部をもつアームとを有することを特徴とする請求項１記載の洋風水洗式便器。
【請求項６】
重なり部の下方に位置する後部ベースプレートは、下降する係合凸部と当接し、アームを付勢手段の付勢力に抗して揺動させる案内面を有することを特徴とする請求項５記載の洋風水洗式便器。
【請求項７】
アームの他端側の外面には、付勢手段の付勢力に抗して手で押圧することを意識させるボタン部が形成されていることを特徴とする請求項５又は６記載の洋風水洗式便器。
【発明の詳細な説明】
【０００１】
【発明の属する技術分野】
本発明は洋風水洗式便器に関する。
【０００２】
【従来の技術】
従来、陶磁器製の洋風便器本体と、洋風便器本体の背後に設けられるベースプレートと、ベースプレート上に設けられ、洋風便器本体を洗浄水により洗浄する等の種々の機能を付与可能な機能装置と、機能装置を収納するカバーとを備えた洋風水洗式便器が知られている。
【０００３】
ベースプレートは、洋風便器本体に固定された後部ベースプレートと、カバーが固定され、後部ベースプレートに対して昇降装置により昇降可能に設けられ、かつ上昇により洋風便器本体の鉢面後方を露出可能な前部ベースプレートとから構成されている。また、後部ベースプレートと前部ベースプレートとの間にはロック機構としてのクリップが設けられている。
【０００４】
この洋風水洗式便器では、クリップを外すことによって前部ベースプレートを後部ベースプレートから離反させた後、昇降装置により前部ベースプレートを後部ベースプレートに対して上昇させれば、カバーが前部ベースプレートとともに洋風便器本体に対して上昇することとなる。こうして、洋風便器本体の鉢面後方が露出され、洋風便器本体の清掃性が向上する。
【０００５】
他方、昇降装置により前部ベースプレートを後部ベースプレートに対して下降させた後、クリップを嵌めることにより前部ベースプレートを後部ベースプレートに固定すれば、カバーが洋風便器本体の後方に固定されることとなる。こうして、機能装置が剥き出しとされず、いたずら等を防止できるようになるとともに、優れた美観を呈する。
【０００６】
【発明が解決しようとする課題】
しかし、上記従来の洋風水洗式便器では、クリップが単に後部ベースプレートと前部ベースプレートとを手動によって固定したり、固定しなかったりするものに過ぎなかった。
【０００７】
このため、クリップの嵌め忘れを生じることとなっていた。こうして、クリップが突出したままの状態になっておれば、使用者が洋風水洗式便器の掃除等を行った拍子にクリップを引掛けやすく、使用者にとって邪魔であるとともに、クリップ及びその周囲を破損するおそれがある。
【０００８】
また、使用者は、前部ベースプレートを後部ベースプレートに手動で固定させる際に、絶えず腰を屈めてクリップを嵌める作業をしなければならないため、不便さを感じることとなっていた。このため、利便性に欠ける洋風水洗式便器となっていた。
【０００９】
本発明は、上記従来の実情に鑑みてなされたものであって、使用者にとって邪魔にならず、ロック機構及びその周囲を破損されることがなく、かつ優れた利便性を有する洋風水洗式便器を提供することを解決すべき課題としている。
【００１０】
【課題を解決するための手段】
本発明の洋風水洗式便器では、
洗浄水により洗浄される洋風便器本体と、該洋風便器本体の背後に設けられるベースプレートと、該ベースプレート上に設けられ、該洋風便器本体を該洗浄水により洗浄する等、該洋風便器本体に種々の機能を付与可能な機能装置と、該機能装置を収納するカバーとを備え、該ベースプレートは、該洋風便器本体に固定された後部ベースプレートと、該カバーが固定され、該後部ベースプレートに対して昇降装置により昇降可能に設けられ、かつ上昇により該洋風便器本体の鉢面後方を露出可能な前部ベースプレートとからなり、該後部ベースプレートと該前部ベースプレートとがロック機構により固定及び離反可能な洋風水洗式便器において、
前記カバーは、前記前部ベースプレートに固定された前部カバーと、該前部カバーに固定されて該前部カバーとともに昇降する後部カバーとからなり、
前記ロック機構は、前記後部ベースプレートと前記前部ベースプレートとが固定される方向に付勢力をもつ付勢手段を有することを特徴とする。
【００１１】
本発明の洋風水洗式便器では、ロック機構がその付勢手段の付勢力により自動的に後部ベースプレートと前部ベースプレートとを固定する。こうして、ロック機構が突出したままの状態になることはないため、使用者は洋風水洗式便器の掃除等を行った拍子にロック機構を引掛けてしまうことがないため、使用者にとって邪魔にならず、ロック機構及びその周囲を破損させることがない。
【００１２】
また、使用者は、腰を屈めながら前部ベースプレートを後部ベースプレートに固定する必要がないため、前部ベースプレートと後部ベースプレートとの固定を容易に行うことができ、便利である。
【００１３】
したがって、本発明の洋風水洗式便器では、使用者にとって邪魔にならず、ロック機構及びその周囲を破損されることがなく、かつ優れた利便性を有することができる。
【００１４】
本発明の洋風水洗式便器では、ロック機構は、前部ベースプレート上を摺動可能に設けられ、付勢手段の付勢力に屈して突出可能な係合凸部を有するスライダと、後部ベースプレートに凹設され、該係合凸部と係合可能な係合凹部とを有することができる。このロック機構では、付勢手段の付勢力により、スライダが前部ベースプレート上を摺動し、スライダの係合凸部が後部ベースプレートに凹設された係合凹部に係合される。こうして、自動的に後部ベースプレートと前部ベースプレートとが固定される。
【００１５】
この場合、後部ベースプレートは、係合凹部に連続して上方に延在し、付勢手段の付勢力に抗して係合凸部を引っ込めたままにする案内面を有することが好ましい。こうであれば、付勢手段に抗して係合凸部を引っ込めたまま前部ベースプレートを上昇させることができることから、この状態でカバーや前部ベースプレートを下降させれば、係合凸部が係合凹部の位置になった時点で、付勢手段の付勢力によって自動的に係合凸部が係合凹部に係合する。
【００１６】
また、この場合、付勢手段の付勢力に抗して手で引っ張ることを容易にする引掛部をスライダに設けることが好ましい。こうであれば、付勢手段の付勢力に抗して引掛部を手で引っ張り易いので、ロック機構を容易に解除することができ、前部ベースプレートと後部ベースプレートとを容易に離反させることができる。
【００１７】
また、本発明の洋風水洗式便器では、ロック機構は、前部ベースプレートに形成され、後部ベースプレート上に重なる重なり部と、重なり部に水平な軸心回りに揺動可能に設けられ、下端に付勢手段の付勢力に屈して後部ベースプレートと係合する係合凸部をもつアームとを有することができる。このロック機構では、付勢手段の付勢力により、アームの係合凸部が後部ベースプレートと係合し、前部ベースプレートと後部ベースプレートとを重なり部で自動的に固定することができる。
【００１８】
この場合、重なり部の下方に位置する後部ベースプレートは、下降する係合凸部と当接し、アームを付勢手段の付勢力に抗して揺動させる案内面を有することが好ましい。こうであれば、付勢手段に抗してアームを揺動させた状態のままカバーを下降させたとしても、係合凸部が案内面に当接してアームを付勢手段の付勢力に抗して揺動させることができる。このため、手動でアームを揺動させなくても、アームの係合凸部が付勢手段の付勢力によって自動的に後部ベースプレートと係合する。
【００１９】
また、この場合、アームの他端側の外面に付勢手段の付勢力に抗して手で押圧することを意識させるボタン部を設けることが好ましい。こうであれば、使用者にボタン部を手で押すことを意識させ、これにより付勢手段を付勢力に抗した状態に保つことができる。こうして、ロック機構を解除することができるため、前部ベースプレートと後部ベースプレートとを容易に離反させることができる。
【００２０】
【発明の実施の形態】
以下、本発明を具体化した実施形態１及び２を図面を参照しつつ説明する。
【００２１】
（実施形態１）
実施形態の洋風水洗式便器は、図１に示すように、陶磁器製の洋風便器本体１の背後にタンクカバー２が設けられている。タンクカバー２内には洗浄タンク５が収納されている。タンクカバー２は、前方に位置する前部カバー２ａと、後方に位置する後部カバー２ｂとから構成されている。前部カバー２ａの下端の手前側には便座４ａ及び便蓋４ｂからなる便座装置４が揺動可能に取り付けられている。
【００２２】
タンクカバー２内には、図２に示すように、後部ベースプレート１０と前部ベースプレート１１と昇降装置１２とが備えられている。後部ベースプレート１０は洋風便器本体１（図１参照）の後部に固定されている。後部ベースプレート１０の後端を含む周囲には隔壁１０ａが略垂直に立設されており、隔壁１０ａの内側に洗浄タンク５（図１参照）が載置されている。また、前部ベースプレート１１には、便座４ａ及び便蓋４ｂの図示しない自動開閉装置、局部洗浄装置のうち温水タンクを除く洗浄ノズル６等、洋風水洗式便器の使用者を検知する人体検知センサ等、水を貯留しない機能装置が固定されている。さらに、図１に示す前部カバー２ａの側壁には、洗浄レバー２ｃが揺動可能に設けられており、この洗浄レバー２ｃにより、洗浄タンク５内の洗浄水を洋風便器本体１に供給可能とされている。タンクカバー２の上端には手洗鉢７がタンクカバー２と面一となるように載置されている。
【００２３】
図２に示す昇降装置１２は、後部ベースプレート１０と前部ベースプレート１１との間に設けられており、前部ベースプレート１１はこの昇降装置１２により、後部ベースプレート１０に対して昇降可能とされている。前部ベースプレート１１には前部カバー２ａが固定されており、前部カバー２ａには後部カバー２ｂが固定されている。
【００２４】
特に、後部ベースプレート１０の前端と前部ベースプレート１１の後端との間には、左右にロック機構２０が設けられている。各ロック機構２０は、図３及び図５に示すように、前部ベースプレート１１上を左右方向で水平に摺動可能なスライダ２１と、後部ベースプレート１０の外側に凹設された係合凹部１０ａと、付勢手段としての圧縮コイルばね２３と、スライダ２１の上面を案内する案内板２４と、案内板２４を前部ベースプレート１１に固定するビス２５とからなる。前部ベースプレート１１の上面外側には各圧縮コイルばね２３の一端を係止可能な凹部１１ａがそれぞれ形成されている。各スライダ２１には前部ベースプレート１１の上面側に開いて圧縮コイルばね２３を収納するばね室２１ａが形成され、ばね室２１ａの奥側の面に圧縮コイルばね２３の他端が当接されている。また、各スライダ２１の先端には係合凹部１０ａと係合可能な係合凸部２１ｂがそれぞれ突設されている。
【００２５】
また、後部ベースプレート１０は、各係合凹部１０ａに連続して上方に延在し、各圧縮コイルばね２３の付勢力に抗して各係合凸部２１ｂを引っ込めたままにする案内面１０ｂをそれぞれ有している。また、各スライダ２１の後端には下方に屈曲する引掛部２１ｃが設けられている。両引掛部２１ｃはタンクカバー２の側方に剥き出しになっている。
【００２６】
以上のように構成された洋風水洗式便器では、図３に示す各スライダ２１の引掛部２１ｃを圧縮コイルばね２３の付勢力に抗して各手で外側に引っ張ることにより、各スライダ２１が案内板２４と前部ベースプレート１１との間を水平に外側に摺動する。これにより、係合凸部２１ｂが係合凹部１０ａから引き出され、両ロック機構２０が容易に解除される。この状態で、図４に示すように、タンクカバー２を上方に持ち上げ、前部ベースプレート１１を上昇させる。
【００２７】
この際、図５に示すように、後部ベースプレート１０の各案内面１０ｂでは、各スライダ２１の係合凸部２１ｂを圧縮コイルばね２３の付勢力に抗して引っ込めたままの状態としている。昇降装置１２はこの状態を維持する。こうして、図４に示すように、タンクカバー２及び手洗鉢７を持ち上げることができるため、洋風便器本体１の後部上面に付着している尿等の汚れを除去することができる。
【００２８】
また、タンクカバー２及び手洗鉢７を降ろすことにより、図５に示す前部ベースプレート１１は下降する。この際、各スライダ２１の係合凸部２１ｂが後部ベースプレート１０の案内面１０ｂに案内される。そして、図３に示すように、各係合凸部２１ｂの位置が各係合凹部１０ａの位置になった時点で、各係合凸部２１ｂは、各圧縮コイルばね２３の付勢力によって自動的に突出し、各係合凹部１０ａと係合することとなる。このため、両ロック機構２０は、両圧縮コイルばね２３の付勢力によって後部ベースプレート１０と前部ベースプレート１１とを確実に固定することができる。
【００２９】
こうして、この洋風水洗式便器では、両ロック機構２０が図１に示すタンクカバー２の外側に突出したままの状態にならないため、使用者が洋風水洗式便器の掃除等を行った拍子に両ロック機構２０を引掛けてしまうことがない。このため、使用者にとって邪魔にならず、両ロック機構２０及びその周囲を破損させることがない。
【００３０】
また、使用者は、腰を屈めながら両ロック機構２０を固定する必要がないため、不便さを感じることとがない。このため、利便性を発揮することができる。
【００３１】
したがって、実施形態１の洋風水洗式便器では、使用者にとって邪魔にならず、両ロック機構２０及びその周囲を破損されることがなく、かつ優れた利便性を有している。
【００３２】
（実施形態２）
実施形態２の洋風水洗式便器においても、図６及び図７に示すように、後部ベースプレート１０の前端と前部ベースプレート１１の後端との間に左右にロック機構３０が設けられている。各ロック機構３０は、前部ベースプレート１１に形成され、後部ベースプレート１０上に重なる重なり部１１ａと、重なり部１１ａに水平な軸心回りに揺動可能に設けられたアーム３１と、一端が前部ベースプレート１１の上面に設けられ、他端がアーム３１の上部に設けられた付勢手段としてのねじりコイルばね３３とからなる。アーム３１の下端にはねじりコイルばね３３の付勢力に屈して後部ベースプレート１０と係合する係合凸部３１ｂが突設されている。また、重なり部１１ａの下方に位置する後部ベースプレート１０には下り傾斜の案内面１０ｃがそれぞれ形成され、各案内面１０ｃは各係合凸部３１ｂの下面と当接可能になっている。さらに、アーム３１の上端側の外面には、ねじりコイルばね３３の付勢力に抗して手で押圧することを意識させるボタン部３１ａが形成されている。各ボタン部３１ａは前部カバー２ａから剥き出しになっている。他の構成は実施形態１と同様である。
【００３３】
以上のように構成された洋風水洗式便器では、図７に示すように、使用者が各手で各ボタン部３１ａを押圧することにより、各アーム３１の各係合凸部３１ｂが前部カバー２ａの外側に揺動される。こうして、各ロック機構３０のアーム３１をねじりコイルばね３３の付勢力に抗した状態に保ち、ロック機構３０を解除する。これにより前部ベースプレート１１と後部ベースプレート１０とを容易に離反させることができる。この状態で、前部ベースプレート１１を後部ベースプレート１０に対して上昇させることができるため、タンクカバー２及び手洗鉢７を持ち上げることができる。
【００３４】
また、タンクカバー２及び手洗鉢７を降ろす場合、前部ベースプレート１１を下降させる。この際、各ねじりコイルばね３３に抗して各アーム３１を揺動させた状態のままタンクカバー２を下降させたとしても、各係合凸部３１ｂが後部ベースプレート１０の各案内面１０ｃに当接して各アーム３１を各ねじりコイルばね３３の付勢力に抗して揺動させる。このため、手動で各アーム３１を揺動させなくても、各アーム３１の係合凸部３１ｂがねじりコイルばね３３の付勢力によって自動的に後部ベースプレート１０と係合する。こうして、各ロック機構３０は、各ねじりコイルばね３３の付勢力によって後部ベースプレート１０と前部ベースプレート１１の重なり部１１ａとを固定することができる。他の作用効果は実施形態１と同様である。
【図面の簡単な説明】
【図１】実施形態１に係り、カバーが降下した洋風水洗式便器の斜視図である。
【図２】実施形態１に係り、昇降装置及びベースプレートの斜視図である。
【図３】実施形態１に係り、固定したロック機構の拡大断面図である。
【図４】実施形態１に係り、カバーが上昇した洋風水洗式便器の斜視図である。
【図５】実施形態１に係り、解除したロック機構の拡大断面図である。
【図６】実施形態２に係り、固定したロック機構の拡大断面図である。
【図７】実施形態２に係り、解除したロック機構の拡大断面図である。
【符号の説明】
１…洋風便器本体
１０、１１…ベースプレート（１０…後部ベースプレート、１１…前部ベースプレート）
６…機能装置（洗浄ノズル）
２…カバー（２ａ…前部カバー、２ｂ…後部カバー）
１２…昇降装置
２０、３０…ロック機構
２３、３３…付勢手段（２３…圧縮コイルばね、３３…ねじりコイルばね）
２１ｂ、３１ｂ…係合凸部
２１…スライダ
２２…係合凹部
１０ｂ、１０ｃ…案内面
２１ｃ…引掛部
１１ａ…重なり部
３１…アーム
３１ａ…ボタン部
【図１】
0004004281.tif 000002
【図２】
0004004281.tif 000003
【図３】
0004004281.tif 000004
【図４】
0004004281.tif 000005
【図５】
0004004281.tif 000006
【図６】
0004004281.tif 000007
【図７】
0004004281.tif 000008